(57)【要約】      （修正有）【課題】携帯端末において、集音性の低下を抑制しつつ、通音孔に組み付けられる防水シートを保護する構成を提供する。【解決手段】マイク２８が収容される筐体の表面１１ａには、一方向に長い溝部１４が形成されるとともに、溝部１４のうち長手方向一端側を露出させる開口１３ａを形成するように、当該開口１３ａの縁から溝部１４の長手方向他端側までを覆う意匠面シート１３が設けられる。そして、溝部１４を構成する底面となる防水部材５０のうち長手方向他端側には、マイク２８の集音面２８ａに対向する通音孔５２が設けられ、この通音孔５２には、防水シート５１が設けられる。【選択図】図５
2020010239.tif 000002
【特許請求の範囲】
【請求項１】
筐体内にマイクロフォンが収容される携帯端末であって、
前記筐体の一面には、一方向に長い溝部が形成されるとともに、前記溝部のうち長手方向一端側を露出させる開口を形成するように、少なくとも当該開口の縁から前記溝部の長手方向他端側までを覆うカバーが設けられ、
前記溝部を構成する底面のうち前記長手方向他端側には、前記マイクロフォンの集音面に対向する通音孔が設けられ、
前記通音孔には、防水シートが設けられることを特徴とする携帯端末。
【請求項２】
前記溝部は、前記長手方向に沿う平面にて切断したときの前記長手方向一端側となる側面が、前記底面に近づくほど前記長手方向他端側に向かうように傾斜して形成されることを特徴とする請求項１に記載の携帯端末。
【請求項３】
前記溝部は、前記長手方向に沿う平面にて切断したときの前記長手方向他端側となる側面が、前記底面に近づくほど前記長手方向一端側から離れるように傾斜して形成されることを特徴とする請求項１又は２に記載の携帯端末。
【請求項４】
前記カバーは、前記筐体に意匠を付与するためのシートとして構成されることを特徴とする請求項１〜３のいずれか一項に記載の携帯端末。
【請求項５】
前記溝部を構成する底面は、前記防水シートを補強するための補強部材によって構成されることを特徴とする請求項１〜４のいずれか一項に記載の携帯端末。
【発明の詳細な説明】
【技術分野】
【０００１】
本発明は、筐体内にマイクロフォンが収容される携帯端末に関するものである。
【背景技術】
【０００２】
従来、筐体内にマイクロフォンが収容される携帯端末に関する技術として、例えば、下記特許文献１に開示される電子通信機器が知られている。この電子通信機器は、筐体内に送話用マイクロフォンとスピーカとが所定の基板に実装されて収容されることで、通話機能を搭載した携帯端末（携帯電話機）として構成されている。この筐体には、基板に実装された送話用マイクロフォンやスピーカの直上となる位置に、通音孔がそれぞれ形成されている。
【先行技術文献】
【特許文献】
【０００３】
【特許文献１】特開２００５−２８６８７４号公報
【発明の概要】
【発明が解決しようとする課題】
【０００４】
ところで、上述のようにマイクロフォンが筐体内に収容される携帯端末では、防水機能を実現するために、通音孔を防水性及び通音性を兼ね備えたシート（以下、単に防水シートともいう）で防水する必要がある。このような構成において、ＩＰ試験において高い保護等級が求められるような携帯端末では、筐体表面に形成される通音孔に対して筐体内側から組み付けた防水シートで防水するように構成されていると、プローブ試験の際、通音孔を挿通した近接プローブによって防水シートが破損等してしまうという問題がある。一方、近接プローブ等から保護するために、単に通音孔を覆い隠すような構成では、集音性が低下してしまうという問題がある。
【０００５】
本発明は、上述した課題を解決するためになされたものであり、その目的とするところは、集音性の低下を抑制しつつ、通音孔に組み付けられる防水シートを保護し得る構成を提供することにある。
【課題を解決するための手段】
【０００６】
上記目的を達成するため、特許請求の範囲の請求項１に記載の発明は、
筐体（１１）内にマイクロフォン（２８）が収容される携帯端末（１０）であって、
前記筐体の一面（１１ａ）には、一方向に長い溝部（１４，１５）が形成されるとともに、前記溝部のうち長手方向一端側を露出させる開口（１３ａ）を形成するように、少なくとも当該開口の縁から前記溝部の長手方向他端側までを覆うカバー（１３）が設けられ、
前記溝部を構成する底面（５０）のうち前記長手方向他端側には、前記マイクロフォンの集音面（２８ａ）に対向する通音孔（５１）が設けられ、
前記通音孔には、防水シート（５２）が設けられる。
なお、上記各括弧内の符号は、後述する実施形態に記載の具体的手段との対応関係を示すものである。
【発明の効果】
【０００７】
請求項１の発明では、マイクロフォンが収容される筐体の一面には、一方向に長い溝部が形成されるとともに、溝部のうち長手方向一端側を露出させる開口を形成するように、少なくとも当該開口の縁から溝部の長手方向他端側までを覆うカバーが設けられる。そして、溝部を構成する底面のうち長手方向他端側には、マイクロフォンの集音面に対向する通音孔が設けられ、この通音孔には、防水シートが設けられる。
【０００８】
これにより、防水シートが設けられる通音孔は、溝部とカバーとによって構成される細長い空間（以下、通音空間ともいう）に対して長手方向他端側にて連通し、上記通音空間は、長手方向一端側にて開口を介して外部に連通するため、開口を挿通した近接プローブ等が通音孔まで到達することもない。そして、外部からの音は、カバーによる開口及び上記通音空間を介して通音孔に到達するため、カバーによる集音性の低下を抑制しつつ、通音孔に組み付けられる防水シートを保護することができる。
【０００９】
請求項２の発明では、溝部は、長手方向に沿う平面にて切断したときの長手方向一端側となる側面が、底面に近づくほど長手方向他端側に向かうように傾斜して形成される。この傾斜する側面により、開口を介して上記通音空間内に導かれる外部からの音が長手方向他端側に向けて反射されやすくなるので、カバーによる集音性の低下を確実に抑制することができる。
【００１０】
請求項３の発明では、溝部は、長手方向に沿う平面にて切断したときの長手方向他端側となる側面が、底面に近づくほど長手方向一端側から離れるように傾斜して形成される。この傾斜する側面により、上記通音空間内に導かれる外部からの音が通音孔に向けて反射されやすくなるので、カバーによる集音性の低下を確実に抑制することができる。
【００１１】
請求項４の発明では、カバーは、筐体に意匠を付与するためのシートとして構成される。通常、筐体の表面には、意匠面シートなど、リブや締結部等を隠してその面に意匠を付与するためのシートが設けられるので、このシートを溝部用のカバーとして利用することで、専用のカバーを用意する必要もなく、部品点数の削減を図ることができる。
【００１２】
請求項５の発明では、溝部を構成する底面は、防水シートを補強するための補強部材によって構成される。これにより、筐体では、細長い溝部を形成するために、幅及び深さが小さく一方向に長い凹状溝を形成することに代えて、長穴を形成してその長穴を内側から防水性の部材等で覆えばよいので、筐体の成形を簡素化することができる。
【図面の簡単な説明】
【００１３】
【図１】第１実施形態に係る携帯端末の構成概要を示す斜視図である。
【図２】図１の携帯端末の平面図である。
【図３】図３（Ａ）は、図１の携帯端末の電気的構成を例示するブロック図であり、図３（Ｂ）は、無線タグ処理部の電気的構成を例示するブロック図であり、図３（Ｃ）は、情報コード読取部の電気的構成を例示するブロック図である。
【図４】図２における開口近傍を拡大して示す拡大平面図である。
【図５】第１実施形態において溝部及び意匠面シートによって構成される通音空間を説明する断面図である。
【図６】第２実施形態において溝部及び意匠面シートによって構成される通音空間を説明する断面図である。
【発明を実施するための形態】
【００１４】
以下、本発明に係る携帯端末を具現化した第１実施形態について、図面を参照して説明する。
本実施形態に係る携帯端末１０は、ユーザによって携帯されて様々な場所で用いられる携帯型の情報読取端末として構成されており、バーコードや二次元コードなどの情報コードＣを光学的に読み取る情報コードリーダとしての機能に加えて、アンテナを介して送受信される電波を媒介としてＲＦＩＤタグなどの無線タグＴに記憶されている情報を読み書きする機能を兼ね備え、読み取りを二方式で行いうる構成となっている。また、本実施形態に係る携帯端末１０は、一般的な携帯電話のように、所定の通信網を介して音声信号を送受信する通話機能を備えている。
【００１５】
図１及び図２に示すように、携帯端末１０の外郭を構成する筐体１１は、略薄板状に形成されており、その裏面には、情報コードＣからの反射光を筐体１１内に取り込むための読取口１２が設けられている。また、筐体１１の表面１１ａには、狭額縁化（狭ベゼル化）されるように大型化された表示画面２４ａが配置され、この表示画面２４ａを囲うように意匠面シート１３が貼付けされている。意匠面シート１３は、筐体１１を構成する表面側ケースのリブや締結部等を隠してその面に意匠を付与するためのシートとして構成されている。なお、筐体１１の表面１１ａは、「一面」の一例に相当し得る。
【００１６】
筐体１１内には、携帯端末１０全体を制御する制御部２１が設けられている。この制御部２１は、マイコンを主体として構成されるものであり、ＣＰＵ、システムバス、入出力インタフェース等を有し、記憶部２２とともに情報処理装置を構成している。記憶部２２には、情報コードＣを光学的に読み取る読取処理を実行するためのプログラムや無線タグＴを非接触通信にて読み取る読取処理を実行するためのプログラム、通話処理を実行するためのプログラム等が制御部２１により実行可能に予め格納されている。
【００１７】
また、図３（Ａ）に示すように、制御部２１には、ＬＥＤ２３、タッチパネル２４、操作部２５、バイブレータ２６、ブザー２７、マイク２８、通信部２９などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルと筐体１１の側面等に設けられる複数のキーとを備えるように構成されることで、タッチパネル２４の表示画面２４ａに対する押圧操作（タッチ範囲等）やキー操作に応じた信号を制御部２１に出力するように構成される。また、ＬＥＤ２３、バイブレータ２６及びブザー２７は、制御部２１によって制御される構成をなしており、それぞれ、制御部２１からの指令を受けて動作する。
【００１８】
マイク２８は、公知のマイクロフォンによって構成されており、制御部２１により制御されて、通音孔５２を介して筐体１１の外部から集音した音に対応する音声信号を制御部２１に出力するように機能する。
【００１９】
通信部２９は、外部機器との間でのデータ通信を行うためのインタフェースとして構成されており、制御部２１と協働して通信処理を行うように機能する。また、筐体１１内には、電源部（図示略）が設けられており、この電源部や電池によって制御部２１や各種電気部品に電力が供給されるようになっている。
【００２０】
また、携帯端末１０は、制御部２１により制御されて外部の情報を読み取り可能な情報読取部として機能する無線タグ処理部３０及び情報コード読取部４０を備えている。
【００２１】
まず、無線タグ処理部３０について、図３（Ｂ）を用いて説明する。
無線タグ処理部３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図３（Ｂ）にて概略的に示すように、送信回路３１、受信回路３２、整合回路３３などを有している。
【００２２】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００２３】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２４】
次に、情報コード読取部４０について、図３（Ｃ）を用いて説明する。
情報コード読取部４０は、図３（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２５】
この情報コード読取部４０によって読み取りを行う場合、まず、制御部２１によって指令を受けた照明部４１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ４２を通って受光センサ４３に受光される。読取口１２と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとして記憶部２２に記憶され、情報コードＣに含まれる情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２６】
次に、マイク２８に関する防水構造について、図４及び図５を参照して詳述する。
図４に示すように、表示画面２４ａの下方に位置する筐体１１の表面１１ａには、幅Ｗ及び深さＨが小さく一方向（図４及び図５の長さＬ参照）に長い溝部１４が設けられている。この溝部１４は、図５に示すように、筐体１１に形成される長穴１４ａに対して内側から防水部材５０で覆うことで形成される。
【００２７】
防水部材５０は、防水性及び通音性を兼ね備えた防水シート５１が２つの平板状の補強部材によって挟み込まれるようにして形成されており、両補強部材にそれぞれ形成される貫通孔が防水シート５１を介して対向することで、通音孔５２が形成される。このため、通音孔５２の中間部位を塞ぐように防水シート５１が配置されることとなる。このように構成される防水部材５０は、後述する開口１３ａが位置する長手方向一端側に対して反対側となる長手方向他端側の溝部１４の底面に通音孔５２が位置するように、筐体１１に組み付けられている。
【００２８】
このように構成される溝部１４に対して、当該溝部１４の長手方向一端側を露出させる開口１３ａを形成するように、意匠面シート１３が配置されている。これにより、溝部１４は、開口１３ａにより露出される長手方向一端側を除いて意匠面シート１３により覆われることとなる。また、開口１３ａは、上記長手方向に沿う開口長さが溝部１４の長手方向に沿う長さに対して十分に小さくなるように形成されている。このように開口１３ａが形成されることで、通音孔５２は、溝部１４と意匠面シート１３とによって構成される細長い空間（以下、通音空間Ｓともいう）に対して長手方向他端側にて連通する。
【００２９】
そして、マイク２８は、回路基板２０の開口を介して集音面２８ａが露出するように回路基板２０に実装されており、この回路基板２０は、集音面２８ａが通音孔５２に対向するように、筐体１１内に配置されている。
【００３０】
このように構成される携帯端末１０では、制御部２１による通話処理実行時、通音孔５２内に伝わった発話音がマイク２８にて集音される。このとき、発話音は、意匠面シート１３による開口１３ａ及び通音空間Ｓを介して通音孔５２内に伝わるため、通音孔５２が意匠面シート１３により隠されることによる集音性の低下を抑制することができる。
【００３１】
一方、プローブ試験の際には、近接プローブが開口１３ａを挿通して通音空間Ｓ内に入り込むことになる。その際、溝部１４の幅Ｗや深さＨは溝部１４の長手方向に沿う長さＬに対して十分に小さいため、溝部１４の長手方向一端側にある開口１３ａを挿通した近接プローブが、溝部１４の長手方向他端側にある通音孔５２まで到達することもない。
【００３２】
以上説明したように、本実施形態に係る携帯端末１０では、マイク２８が収容される筐体１１の表面１１ａには、一方向に長い溝部１４が形成されるとともに、溝部１４のうち長手方向一端側を露出させる開口１３ａを形成するように、当該開口１３ａの縁から溝部１４の長手方向他端側までを覆う意匠面シート１３が設けられる。そして、溝部１４を構成する底面となる防水部材５０のうち長手方向他端側には、マイク２８の集音面２８ａに対向する通音孔５２が設けられ、この通音孔５２には、防水シート５１が設けられる。
【００３３】
これにより、防水シート５１が設けられる通音孔５２は、溝部１４と意匠面シート１３とによって構成される細長い通音空間Ｓに対して長手方向他端側にて連通し、通音空間Ｓは、長手方向一端側にて開口１３ａを介して外部に連通するため、開口１３ａを挿通した近接プローブ等が通音孔５２まで到達することもない。そして、外部からの音は、意匠面シート１３による開口１３ａ及び上記通音空間Ｓを介して通音孔５２に到達するため、意匠面シート１３による集音性の低下を抑制しつつ、通音孔５２に組み付けられる防水シート５１を保護することができる。
【００３４】
また、意匠面シート１３は、筐体１１に意匠を付与するためのシートとして構成される。通常、筐体１１の表面１１ａには、リブや締結部等を隠してその面に意匠を付与するための意匠面シートが設けられるので、この意匠面シートを溝部１４用のカバーとして利用することで、専用のカバーを用意する必要もなく、部品点数の削減を図ることができる。
【００３５】
さらに、溝部１４を構成する底面は、防水シート５１を補強部材にて補強した防水部材５０によって構成される。これにより、筐体１１では、細長い溝部１４を形成するために、深さが浅く一方向に長い凹状溝を形成することに代えて、長穴１４ａを形成してその長穴１４ａを内側から防水部材５０で覆えばよいので、筐体１１の成形を簡素化することができる。
【００３６】
［第２実施形態］
次に、本発明の第２実施形態に係る携帯端末について、図６を用いて説明する。
本第２実施形態では、意匠面シート１３による集音性の低下をさらに抑制するために、溝部を構成する長穴の形状を変更している点が主に上記第１実施形態と異なる。このため、第１実施形態と実質的に同様の構成部分には同一符号を付して説明を省略する。
【００３７】
図６に示すように、本実施形態では、上述した溝部１４に代えて溝部１５が採用されており、この溝部１５を構成する長穴は、上述した溝部１４を構成する長穴１４ａに対して、長手方向に沿う平面にて切断したときの長手方向一端側となる側面１５ａが、底面となる防水部材５０に近づくほど長手方向他端側に向かうように傾斜して形成されている。また、溝部１５を構成する長穴は、上述した溝部１４を構成する長穴１４ａに対して、長手方向に沿う平面にて切断したときの長手方向他端側となる側面１５ｂが、底面となる防水部材５０に近づくほど長手方向一端側から離れるように傾斜して形成されている。
【００３８】
このように構成される携帯端末１０では、長手方向一端側に傾斜して形成される側面１５ａにより、開口１３ａを介して上記通音空間Ｓ内に導かれる外部からの音が長手方向他端側に向けて反射されやすくなるので、意匠面シート１３による集音性の低下を確実に抑制することができる。
【００３９】
そして、長手方向他端側に傾斜して形成される側面１５ｂにより、上記通音空間Ｓ内に導かれる外部からの音が通音孔５２に向けて反射されやすくなるので、意匠面シート１３による集音性の低下をさらに抑制することができる。
【００４０】
なお、本実施形態では、側面１５ａ及び側面１５ｂは、平面状に傾斜するように形成されているが、これに限らず、例えば、湾曲して傾斜するように形成されてもよい。
【００４１】
なお、本発明は上記各実施形態に限定されるものではなく、例えば、以下のように具体化してもよい。
（１）本発明は、開口１３ａが表示画面２４ａの下方に位置する携帯端末に採用されることに限らず、例えば、開口１３ａが表示画面２４ａの上方に位置する携帯端末に採用されてもよいし、開口１３ａが裏面側に位置する携帯端末に採用されてもよい。
【００４２】
（２）溝部１４は、底面に防水部材５０を利用することで構成されることに限らず、例えば、防水部材５０を利用することなく、有底凹状であって通音孔５２の直上に位置する開口が設けられるようにして構成されてもよい。同様に、溝部１５は、底面に防水部材５０を利用することで構成されることに限らず、例えば、防水部材５０を利用することなく、有底凹状であって通音孔５２の直上に位置する開口が設けられるようにして構成されてもよい。
【００４３】
（３）開口１３ａは、溝部１４を覆う意匠面シート１３によって形成されることに限らず、例えば、溝部１４を覆う専用のシート等を利用して形成されてもよい。
【００４４】
（４）本発明は、上述したように通話機能に加えて光学的情報読取機能及び無線通信機能を兼備する携帯端末に適用されることに限らず、筐体内にマイク２８（マイクロフォン）が収容される携帯端末であれば適用することができる。
【符号の説明】
【００４５】
１０…携帯端末
１１…筐体
１３…意匠面シート（カバー）
１３ａ…開口
１４，１５…溝部
２８…マイク（マイクロフォン）
５０…防水部材（底面）
５１…防水シート
５２…通音孔
【図１】
2020010239.tif 000003
【図２】
2020010239.tif 000004
【図３】
2020010239.tif 000005
【図４】
2020010239.tif 000006
【図５】
2020010239.tif 000007
【図６】
2020010239.tif 000008